【事件の表示】
　特願２０１４−　６５４４５「移動通信システム及び基地局装置」拒絶査定不服審判事件〔平成２６年　７月３１日出願公開、特開２０１４−１４０２３７〕について、次のとおり審決する。
【結　論】
　本件審判の請求は、成り立たない。
【理　由】
第１　手続の経緯
　本願は、平成２２年１０月４日に出願された特願２０１０―２２５２２３号の一部を、平成２４年４月２日に新たに出願した特願２０１２―０８４０９５号の一部を、さらに平成２６年３月２７日に新たに出願したものであって、平成２６年１１月７日付けで拒絶理由が通知され、平成２７年１月１６日付けで意見書及び手続補正書が提出され、平成２７年６月２４日付けで最後の拒絶理由が通知され、同年８月１９日付けで意見書が提出され、平成２８年２月２６日付けで拒絶査定されたところ、同年５月２３日に拒絶査定不服審判の請求がなされ、同時に手続補正がなされたものである。
第２　平成２８年５月２３日付け手続補正についての補正の却下の決定
［補正の却下の決定の結論］
  平成２８年５月２３日付け手続補正（以下、「本件補正」という。）を却下する。
［理由］
１　補正の内容
（１）本件補正後の特許請求の範囲の記載
　本件補正により特許請求の範囲の請求項１の記載は、次のとおり補正された。（下線は、補正書に記載のとおり。）
　「複数の送信地点において下りリンクチャネル推定のための参照信号であるＣＳＩ−ＲＳ（Channel　State　Information−Reference　Signal）の送信周期が同じであり、ある送信地点での前記ＣＳＩ−ＲＳの割り当て位置に対して別の送信地点での前記ＣＳＩ−ＲＳの割り当て位置がオフセットを有しており、前記ＣＳＩ−ＲＳのミューティングリソースが設定されており、前記ミューティングリソースの配置が一つ又はそれ以上で設定されて
おり、ＣＳＩ−ＲＳが割り当てられるサブフレームの位置が前記ＣＳＩ−ＲＳの送信周期及び前記オフセットを用いて特定される
（２）本件補正前の特許請求の範囲の記載
　本件補正前の、平成２７年１月１６日付け手続補正により補正された特許請求の範囲の請求項１の記載は次のとおりである。（下線は省略。）
　「複数の送信地点において下りリンクチャネル推定のための参照信号であるＣＳＩ−ＲＳ（Channel　State　Information−Reference　Signal）の送信周期が同じであり、ある送信地点での前記ＣＳＩ−ＲＳの割り当て位置に対して別の送信地点での前記ＣＳＩ−ＲＳの割り当て位置がオフセットを有しており、前記ＣＳＩ−ＲＳのミューティングリソースが設定されており、前記ミューティングリソースの配置が一つ又はそれ以上で設定されていることを特徴とする移動通信システム。」
２　補正の適否
　上記本件補正は，補正前の請求項１に記載した発明を特定するために必要な事項である「ＣＳＩ−ＲＳの割り当て位置」について，上記のとおり限定を付加するものであって，補正前の請求項１に記載された発明と補正後の請求項１に記載された発明の産業上の利用分野及び解決しようとする課題が同一であるから，特許法１７条の２第５項の特許請求の範囲の減縮を目的とするものに該当する。
　そこで，補正後の請求項１に記載された発明（以下，「本件補正発明」という。）が特許出願の際独立して特許を受けることができるものであるか否か（特許法１７条の２第６項において準用する同法１２６条７項の規定に適合するか否か）について以下に検討する。
（１）本件補正発明
　本件補正発明は、上記１（１）に記載した請求項１に記載した事項により特定されるとおりのものである。
（２）引用例の記載事項
ア　引用例１
（ア）原査定の拒絶の理由で引用された、本願の出願日前に頒布された刊行物である、Nokia, Nokia Siemens Networks，Multi-cell CSI-RS transmission and related impact to LTE Rel'8[online]，3GPP TSG-RAN WG1#59  R1-094649（以下「引用例１」という。）には、次の記載がある。（下線は当審で付与した。）
「Title: 
Multi-cell CSI-RS transmission and related impact to LTE Rel'8
1. Introduction
CSI-RS are transmitted into the data region of normal/MBSFN subframes[9］ with configurable periodicity in terms of an integer number of subframes.
2. CSI-RS design principles and Rel'8 impact 
Current 3GPP guidelines regarding CSI-RS design refer to allowed overhead and CSI-RS operation as follows:
・Estimates of RS overhead for evaluations (figures assume normal CP)
　・CSI-RS overhead of 1/840=0.12% per antenna port (8 antenna ports = 0.96%)
　　・Possibility of assuming a larger/lower overhead in simulations of CSI-RS is not precluded (e.g. a larger time density)
　　・Example:
　　　・Time density: 1 symbol every 10ms per antenna port: 1/140 
　　　・Frequency density: 1 subcarrier every 6 subcarriers per antenna port: 1/6
・Possibility to configure the periodicity of CSI RS transmissions in terms of an integer number of subframes. 
・Possible to use LTE-Advanced features without any LTE-Advanced subframes
　・Cell specific CSI RS possible to transmit in normal, Rel-8, subframes.
　・Studies on CSI RS impact on PDSCH transmissions to Rel-8 UEs for various RS densities needed
Minimizing the impact of CSI-RS to LTE Rel'8 transmission has been widely acknowledged among the 3GPP community[1][2][3][4]. It has been also mentioned that proper link adaptation at eNB can help mitigating the performance degradation[1] due to puncturing the REs for CSI-RS. CSI-RS densities per subframe investigated at link level so far lie within the boundaries of the above agreement on CSI-RS overhead. The above way forward was originally drafted aiming at eight CSI-RS ports sustaining 8-by-x single-cell spatial multiplexing. Relying on this agreement for CoMP CSI-RS design and trying at the same time to ensure a flexible CoMP measurement set providing sufficient CSI-RS orthogonality might prove to be two conflicting goals. 
One recognized CoMP prerequisite is accurate channel measurements for the cells in the CoMP measurement set. While the size of the measurement set and cooperation area remain open for investigation and are not addressed in this paper, current studies[11][12] indicate that the number of cells having orthogonal CSI-RS has to be larger than the size of the CoMP measurement set itself. This leads to the principle of inter-cell orthogonal CSI-RS multiplexing. In the following, we consider from Rel'8 puncturing point of view two main alternatives serving this purpose.
Alternative 1: 
Inter-cell CSI-RS multiplexing can be achieved by adding a TDM component for the CSI-RS transmission between the cells[5],[6],[7],[8]. This implies that each cell (or small subset of the measured cells) sends CSI-RS in one subframe, while in order to increase the size of the set of cells with orthogonal CSI-RS (reuse cluster), other cells are allowed to transmit CSI-RS in next subframes, leading to a duty cycle of several consecutive subframes until the UE captures the channel information from the entire CoMP measurement set, as depicted in Figure 1 below. While a certain cell transmits CSI-RS, the other cells within the reuse cluster do not transmit anything on corresponding CSI-RS resources, which is referred to as nulling.
Figure 1: TDM operation of orthogonal inter-cell CSI-RS transmission. In the worst case CoMP UE has to wait for a duty cycle of four subframes until it captures channel information from the entire measurement set.」
（当審訳「タイトル：
マルチセルCSI-RS伝送とLTEリリース８への関連する影響
1.はじめに
CSI-RSは、周期性を有する整数個のサブフレームとして構成可能なノーマル/MBSFNサブフレーム[9]のデータ領域で送信される。
2. CSI-RS設計の原則とRel'8の影響
CSI-RS設計に関する現在の3GPPのガイドラインは、許容オーバヘッドおよびCSI-RS動作を以下のように参照する。
・評価のためのRSオーバヘッドの見積もり（数値は通常のCPと仮定）
　・アンテナポートあたり1/840 = 0.12％のCSI-RSオーバヘッド（8つのアンテナポート= 0.96％）
　・CSI-RSのシミュレーションにおけるオーバヘッドの大小を想定する可能性は排除されない
　　　（例えば、より大きな時間密度）
　・例：
　　・時間密度：アンテナポートあたり10msごとに1シンボル：1/140
　　・周波数密度：アンテナポートあたり6サブキャリアごとに1サブキャリア：1/6
・整数のサブフレームの観点からCSI RS送信の周期性を構成する可能性。
・LTE-Advancedサブフレームを使用せずにLTE-Advanced機能を使用できる
　・通常のRel-8サブフレームで送信可能なセル固有のCSI RS。
　・必要とされる様々なRS密度に対するRel-8 UEへのPDSCH送信に対するCSI RSの影響に関する研究
LTE Rel'8伝送へのCSI-RSの影響を最小化することは、3GPP共同体の間で広く認められている[1] [2] [3] [4]。eNBでの適切なリンクアダプテーションは、CSI-RSのREをパンクチャリングすることによるパフォーマンスの低下[1]を緩和するのに役立つとも言われている。これまでのリンクレベルで調査されたサブフレームあたりのCSI-RS密度は、CSI-RSオーバーヘッドに関する上記の合意の範囲内にある。上記の方法は、もともと8×xのシングルセル空間多重を維持する8つのCSI-RSポートを目指して作成された。CoMP CSI-RS設計のこの合意に依拠し、同時に、十分なCSI-RS直交性を提供する柔軟なCoMP測定セットを確実にすることを試みることは、2つの相反する目標であると判明する可能性がある。
1つの認識されたCoMP前提条件は、CoMP測定セット内のセルの正確なチャネル測定値である。測定セットのサイズと共同エリアは、研究のために開放されたままで本紙では触れていないが、現在の研究[11] [12]は、直交CSI-RSを有するセルの数は、CoMP測定セットそれ自身のサイズよりも大きくなければならないことを示している。これは、セル間直交CSI-RS多重化の原理につながる。以下では、Rel'8のパンクチャリングの観点から、この目的に役立つ2つの主要な代替案を考察する。
代替案1：
セル間CSI-RS多重化は、セル間のCSI-RS伝送用のTDMコンポーネントを追加することによって達成することができる[5]、[6]、[7]、[8]。これは、1つのサブフレームで各セル（または測定セルの小さなサブセット）がCSI-RSを送信する、一方、直交CSI-RS（再使用クラスタ）を有するセルのセットのサイズを増加させるために、以下の図1に示すように、UEがCoMP測定セット全体からチャネル情報を捕捉するまで、いくつかの連続するサブフレームのデューティサイクルにつながる次のサブフレームで、他のセルはCSI-RSを送信することを許されることを意味する。一つの特定のセルがCSI-RSを送信している間に、再使用クラスタ内の他のセルは、対応するCSI-RSリソース上で何も送信しない、これはヌリングと呼ばれる。
図1：直交セル間CSI-RS伝送のTDM動作。最悪の場合、CoMP UEは、測定セット全体からチャネル情報を捕捉するまで、4サブフレームのデューティサイクルを待たなければならない。」）
（イ）上記記載から、引用例1には、次の技術的事項が記載されている。
ａ　引用例１に記載された技術は、「Title」から、ＬＴＥリリース８におけるマルチセルＣＳＩ−ＲＳの影響に関するものである。
ｂ　「1. Introduction」には、ＣＳＩ−ＲＳは、周期性を有する整数個のサブフレームのデータ領域で送信されることが記載されている。
ｃ　「2. CSI-RS design principles and Rel'8 impact」には、「セル間ＣＳＩ−ＲＳ多重化は、セル間のＣＳＩ−ＲＳ伝送用のTDMコンポーネントを追加することによって達成することができる[5]、[6]、[7]、[8]。これは、1つのサブフレームで各セル（または測定セルの小さなサブセット）がＣＳＩ−ＲＳを送信する、一方、直交ＣＳＩ−ＲＳ（再使用クラスタ）を有するセルのセットのサイズを増加させるために、以下の図1に示すように、UEがCoMP測定セット全体からチャネル情報を捕捉するまで、いくつかの連続するサブフレームのデューティサイクルにつながる次のサブフレームで、他のセルはＣＳＩ−ＲＳを送信することを許されることを意味する。一つの特定のセルがＣＳＩ−ＲＳを送信している間に、再使用クラスタ内の他のセルは、対応するＣＳＩ−ＲＳリソース上で何も送信しない、これはヌリングと呼ばれる。」と記載され、
Figure１には、セル１、３、５、７において、ＣＳＩ−ＲＳの送信サブフレームの周期が１０ｍｓであり、各セルでのＣＳＩ−ＲＳの送信サブフレームの位置がそれぞれ１ＴＴＩづつオフセットしていることが示されている。
　したがって、「2. CSI-RS design principles and Rel'8 impact」には、複数のセルでＣＳＩ−ＲＳの送信周期が同じであり、あるセルでのＣＳＩ−ＲＳの送信サブフレームの位置に対して、別のセルでのＣＳＩ−ＲＳの送信サブフレームの位置がオフセットを有しており、あるセルでのＣＳＩ−ＲＳの送信サブフレームの位置に対して別のセルでは対応する送信サブフレームでは何も送信しない（ヌリング）サブフレームとし、そのようなサブフレームが複数配置されていることが記載されている。
　
（ウ）これらのことから、引用例１には次の発明（以下、「引用発明」という。）が記載されていると認められる。
「複数のセルにおいてＣＳＩ−ＲＳ（Channel　State　Information−Reference　Signal）の送信サブフレームの周期が同じであり、あるセルでの前記ＣＳＩ−ＲＳの送信サブフレームの位置に対して別のセルでの前記ＣＳＩ−ＲＳの送信サブフレーム位置がオフセットを有しており、あるセルでのＣＳＩ−ＲＳの送信サブフレームの位置に対して別のセルでは対応する送信サブフレームでは何も送信しない（ヌリング）サブフレームとし、そのようなサブフレームが複数で設定されていることを特徴とするＬＴＥリリース８におけるマルチセルＣＳＩ−ＲＳ。」
イ　引用例２
（ア）原査定の拒絶の理由で引用された、本願の出願日前に頒布された刊行物である、Samsung，Indication and Determination of CSI-RS Configuration[online]， 3GPP TSG-RAN WG1#62   R1-104597（以下「引用例２」という。）には、次の記載がある。（下線は当審で付与した。）
「２　CSI-RS Configuration
In order to accurately receive and measure the CSI-RS, a set of CSI-RS parameters are required at the UE. Specifically, the following information is needed
CSI-RS periodicity
CSI-RS number of ports
CSI-RS reuse pattern index
CSI-RS scrambling sequence initial state
CSI-RS subframe offset
CSI-RS pattern type (required for TDD only)」
（当審訳「２　CSI-RSの設定
CSI-RSを正確に受信し測定するために、CSI-RSパラメータのセットがUEで必要とされる。特に、次の情報が必要である
CSI-RS周期
CSI-RSポート数
CSI-RS再利用パターンインデックス
CSI-RSスクランブリングシーケンスの初期状態
CSI-RSサブフレームオフセット
CSI-RSパターンタイプ（TDDにのみ必要）」）
（イ）上記記載から、引用例２には、ＣＳＩ−ＲＳを正確に受信し測定するためには、UEでＣＳＩ−ＲＳ周期及びＣＳＩ−ＲＳサブフレームオフセットのパラメータが必要であることが記載されている。
（３）引用発明との対比
ア　本件補正発明と引用発明を対比する。
（ア）引用発明のLTEとは移動通信システムに使用される技術であることは自明であるから、引用発明と本件補正発明はともに移動通信システムに関する発明であり、技術分野が共通する。
（イ）引用発明のセルは領域であることは当業者に周知な技術事項であり、送信地点も領域とみなすことが出来るから、引用発明のセルと本件補正発明の送信地点は、ともに領域である点において一致する。
（ウ）ＣＳＩ−ＲＳが下りリンクチャネル推定のための参照信号であることは当業者に周知であるから、引用発明の「ＣＳＩ−ＲＳ」は本件補正発明の「下りリンクチャネル推定のための参照信号であるＣＳＩ−ＲＳ」に相当する。
（エ）引用発明の「ＣＳＩ−ＲＳの送信サブフレームの位置」はＣＳＩ−ＲＳが送信される時の割り当て位置であるから、本件補正発明の「ＣＳＩ−ＲＳの割り当て位置」に相当する。
（オ）サブフレームのヌリングとは、そのサブフレームにおいて有意な情報を伝送しないという点においてミューティングと同意であることから、引用発明の「あるセルでのＣＳＩ−ＲＳの送信サブフレームの位置に対して別のセルでは対応する送信サブフレームでは何も送信しない（ヌリング）サブフレーム」とは、ＣＳＩ−ＲＳのサブフレームをミューティングすることである。
　また、サブフレームとはリソースであることは自明であるから、引用発明における「あるセルでのＣＳＩ−ＲＳの送信サブフレームの位置に対して別のセルでは対応する送信サブフレームでは何も送信しない（ヌリング）サブフレーム」とは、本件補正発明の「ＣＳＩ−ＲＳのミューティングリソース」に相当する。
（カ）引用発明では、あるセルでのＣＳＩ−ＲＳの送信サブフレームの位置に対して別のセルでは対応する送信サブフレームでは何も送信しない（ヌリング）サブフレームが複数設定されているから、上記（オ）での検討結果を参酌すると、ミューティングリソースの配置が二つ以上で設定されているといえる。
イ　以上のことから、本件補正発明と引用発明の一致点及び相違点は、次の通りである。
【一致点】
「複数の領域において下りリンクチャネル推定のための参照信号であるＣＳＩ−ＲＳ（Channel　State　Information−Reference　Signal）の送信周期が同じであり、ある領域での前記ＣＳＩ−ＲＳの割り当て位置に対して別の領域での前記ＣＳＩ−ＲＳの割り当て位置がオフセットを有しており、前記ＣＳＩ−ＲＳのミューティングリソースが設定されており、前記ミューティングリソースの配置が二つ以上で設定されていることを特徴とする移動通信システム。」
【相違点】
相違点１
　本件補正発明は、領域が送信地点であるのに対して、引用発明では領域がセルである点。
相違点２
　本件補正発明は「ＣＳＩ−ＲＳが割り当てられるサブフレームの位置が前記ＣＳＩ−ＲＳの送信周期及び前記オフセットを用いて特定される」のに対して、引用発明にはサブフレームの位置を特定することに関する記載がないこと。
相違点３
　本件補正発明では「ミューティングリソースの配置が一つ又はそれ以上で設定されている」のに対して、引用発明では「ミューティングリソースの配置が一つで設定されている」ことが記載されていない点。
（４）判断
　以下、相違点について検討する。
相違点１に関して。
　引用発明のセルにおいては、ＣＳＩ−ＲＳが、周期性を有する整数個のサブフレームのデータ領域で送信されるのであるから、ＣＳＩ−ＲＳを送信する時に送信地点が存在することは明らかである。したがって、引用発明の「セル」を「送信地点」とすることは当業者が容易に成し得たことにすぎない。
相違点２に関して。
　引用例２には、ＣＳＩ−ＲＳを正確に受信し測定するためには、ＣＳＩ−ＲＳ周期及びＣＳＩ−ＲＳサブフレームオフセットが必要であることが記載されている。ここで、ＣＳＩ−ＲＳ周期及びＣＳＩ−ＲＳサブフレームオフセットとは、本件補正発明のＣＳＩ−ＲＳの送信周期及びオフセットに相当することは明らかである。そして、引用発明においても、ＣＳＩ−ＲＳを正確に受信し測定する必要があるこという課題が存在することは明らかであり、ＣＳＩ−ＲＳ周期及びＣＳＩ−ＲＳサブフレームオフセットから、ＣＳＩ−ＲＳが割り当てられるサブフレームの位置が特定されることは当業者に自明であるから、引用発明に引用例２に記載された技術を適用して、ＣＳＩ−ＲＳが割り当てられるサブフレームの位置を特定するように構成することは当業者が容易に成し得たことにすぎない。
相違点３に関して。
　本件補正発明においてミューティングリソースの配置の数は、オフセットさせるＣＳＩ−ＲＳの割り当て位置の数で決まる。そして、オフセットさせるＣＳＩ−ＲＳの割り当て位置の数は送信地点の数に応じて決まるものである。そして、引用発明においてもセルの数（送信地点の数）は当業者がシステムの規模等に応じて適宜決定可能な技術事項にすぎないから、それを１をも含むとすることは当業者が容易に設定可能である。
　したがって、本件補正発明は、引用発明及び引用例２に記載された技術事項及び周知技術に基づいて、当業者が容易に発明をすることができたものであり、特許法２９条２項の規定により、特許出願の際独立して特許を受けることができないものである。
（５）本件補正についてのむすび
　本件補正は、特許法１７条の２第６項において準用する同法１２６条７項の規定に違反してなされたものであるから、同法１５９条１項において読み替えて準用する同法５３条１項の規定により却下されるべきものである。
　
第３　本願発明に関して
１　本願発明
　平成２８年５月２３日付け手続補正は上記のとおり却下されたので，本願の請求項に係る発明は，平成２７年１月１６日にされた手続補正により補正された特許請求の範囲の請求項１ないし８に記載された事項により特定されるものであるところ，その請求項１に係る発明（以下，「本願発明」という。）は，明細書及び図面の記載からみて，その請求項１に記載された事項により特定される，前記第２［理由］１（２）に記載のとおりのものである。
２　引用刊行物
 原査定の拒絶の理由で引用された引用例１、２及びその記載事項は，前記第２の［理由］２（２）に記載したとおりである。
３　対比・判断
　本願発明は，前記第２の［理由］２で検討した本件補正発明から，「ＣＳＩ−ＲＳが割り当てられるサブフレームの位置が前記ＣＳＩ−ＲＳの送信周期及び前記オフセットを用いて特定される」に係る限定事項を削除したものである。
　そうすると，本願発明の発明特定事項を全て含み，さらに他の事項を付加したものに相当する本件補正発明が，前記第２の［理由］２（３），（４）に記載したとおり，引用発明及び引用例２に記載された技術事項及び周知技術に基づいて，当業者が容易に発明をすることができたものであるから，本願発明も，同様の理由により，引用発明及び引用例２に記載された技術事項及び周知技術に基づいて，当業者が容易に発明することができたものである。
４　本願発明についてのむすび
　以上のとおり，本願発明は，特許法２９条２項の規定により特許を受けることができないから，他の請求項に係る発明について検討するまでもなく，本願発明は拒絶されるべきものである。
第４　むすび
　以上のとおり、本願は、他の請求項について検討するまでもなく、拒絶されるべきものである。
　よって，結論のとおり審決する。